(57)【要約】【課題】ページ２を捲ったりすることなく、完成本において落丁や乱丁を外部から簡単に視認により検出することができて、落丁や乱丁のある不正常な本の発行を確実に防止できるようにする。【解決手段】完成本の天１２もしくはケシタ１３に、各折丁を示すマークが特定の図形を構成して、その図形が階段状に外部に表出するように付され、各折丁の乱丁・落丁の有無が完成本で視認できるようにマーク４が配列されている。【選択図】      図１
2004216841.tif 000002
【特許請求の範囲】
【請求項１】
完成本の天もしくはケシタに、各折丁を示すマークが特定の図形を構成して、その図形が階段状に外部に表出するように付され、各折丁の乱丁・落丁の有無が完成本で視認できるようにマークが配列された本。
【請求項２】
請求項１において、各折丁を示すマークが折丁毎に天又はケシタの折丁順に位置を変えて階段状に付されている本。
【請求項３】
請求項１〜３の何れかにおいて、複数のページが配列された用紙が用いられ、その各ページにおける版面の周縁部に、用紙を折り込んで各ページを重ね合わせたときに合致するマークが付され、この用紙を各ページが重なり合うように折り込んで１つの単位とし、この単位に続く次の各単位の用紙には、前記単位の各ページに付されたマークから位置をずらしながらマークが順次付されていて、これら各単位を綴じ込んでケシタにマークが順に表出されている本。
【発明の詳細な説明】
【０００１】
【発明の属する技術分野】
この発明は、パソコン，携帯電話その他電子機器類等の取扱説明書などの落丁や乱丁を完成本で視認できるようにした製本に関するものであり、視認できる位置関係を別途カメラ装置等を用いることにより自動チェックを行うこともできる本である。
【０００２】
【従来の技術】
近年、電子機器類の機能の多様化により、その取扱説明書もページ数が増大しており、その発行部数も数万部〜数１０万部になるなど膨大になっている。このような取扱説明書を発行するにあたって、落丁や乱丁を防止するために従来の書籍と同様、背表紙で隠れる折り曲げ部分に折丁単位毎に印をつけておき、背表紙が付けられる前に点検することなどが行われたり、監視装置で絵柄（文字）チェックを行っているが、製本工程中には機器によるチェック後に人為的処置を要する場合も多くあり，その処置の誤りによる乱丁，落丁が往々にして発生することがある。その処置ミスを１００％発見するには、人手による完成品の一冊ごとの全頁ノンブル検査を行う以外にないのが実情である。
【０００３】
【発明が解決しようとする課題】
しかし、背表紙をつけた後、数万〜数１０万部につき全頁ノンブル検査を全数検査するのは時間的制約や労力やコストの面から困難であるので、抜き取り検査によって行っている。しかし、抜き取り検査では、検査数が限られて、落丁や乱丁の確実な防止ができない。この完成後のノンブル検査を完成本の目視検査で、正常と異常とを瞬時に識別できるようにすることを課題とする。
【０００４】
すなわち、本発明の目的は、電子機器類の取扱説明書などの落丁や乱丁を、ページを捲ったりすることなく、完成本の目視検査によって外部から簡単に検出することができて、落丁や乱丁のある不正常な取扱説明書等の発行を確実に防止できるようにすることにある。
【０００５】
【課題を解決するための手段】
上記目的を達成するため、本発明にかかる本は、完成本の天もしくはケシタに、各折丁を示すマークが特定の図形を構成して外部に表出するように付されている。
【０００６】
例えば各折丁を示すマークは折丁毎にマークを位置決めされ、順位に並べられると階段状のズラシマークが表出されるように位置を変えて付される。正常の本の場合は、各折丁の存在を示すマークがのどを覗く天もしくはケシタに、階段状に表出される。一方、折丁の落丁がある場合は、図１（Ｃ）のように、その折丁に付したマークが消失して、順に付したマークの一部が欠けることになり空白が表出される。また、乱丁のある場合は、図１（Ｂ）のように、マークの位置が順に付したマーク位置から異なった位置に表出される。このため、ページを捲ったりすることなく、外部から落丁や乱丁が簡単に検出されて不正常な本の発行が確実に防止される。
【０００７】
前記マークは、天又はケシタに付すことが好ましい。天又はケシタは、背表紙をつけた後も外部から見え易く、特に本を積み重ねた状態でも外部から見えるので、落丁や乱丁の検出作業がより簡単に行える。天又はケシタにマークを付すことによって、製本時に目立たずインデックスとの混同のおそれもなく、しかも簡単かつ確実に落丁や乱丁の検出を目視によって行える。
【０００８】
また、前記マークは、全体として社章などの図形を構成したり幾何学模様を構成してもよいが、折丁毎に天又はケシタに前記マークを順に階段状に位置を変えて付すことが好ましい。このようにすれば、落丁や乱丁のない正常の本には、マークがのど側の端から順に連続して付されることになるので、特に規則性を知らない人でも本の落丁や乱丁の検出が行い易くなる。
【０００９】
前記本を製作するにあたっては、複数のページが配列された用紙が用いられ、その各ページにおける版面の周縁部に、用紙を折り込んで各ページを重ね合わせたときに合致するマークを付し、この用紙を各ページが重なり合うように折り込んで１つの折単位とし、この単位に続く次の各単位の用紙には、前記単位の各ページに付されたマークからずれた位置にマークを順次付し、これら各単位を綴じ込んで天又はケシタにマークを順に表出させることで各折丁の位置が明確になるようにする。このようにすれば、印刷時に１単位ごとにマークが付されるので、マーク付け作業が簡単に行える。
【００１０】
【発明の実施の形態】
以下、この発明の好ましい一実施形態を図面に基づいて説明する。
図１は、本の一例として取扱説明書を示す図であり、（Ａ）は正常な本を示す斜視図、（Ｂ）は乱丁のある本を示す図、（Ｃ）は落丁のある本を示す図である。この取扱説明書１は、多数の折丁２が綴じ込まれて、表，裏表紙３１，３２及び背表紙３３により覆われている。同図の実施形態では、前記取扱説明書１ののど１１を覗く天１２，ケシタ１３のうち、ケシタ１３の側に外部に表出するように各折丁２の存在を示すマーク４が階段状に付されている。このマーク４は、前記取扱説明書１の天１２，ケシタ１３に付すことができるが、好ましくはケシタ１３に付される。ケシタに付されることによって外観マークが目立たず、しかもインデックスと混同されるおそれもない。
【００１１】
また、同図の実施形態では、各折丁２を示すマーク４を折丁毎に取扱説明書１ののど１１側の端から階段状に位置を変えて付している。
【００１２】
図２は、取扱説明書１を製作するときに用いる用紙の正面図である。同図の実施形態では、１６ページ１折れタイプのものが使用され、これが取扱説明書１を製作するときの１単位とされる。この用紙２０は、片面８ページ、両面（裏表）１６ページが配列され、各ページ２ａの版面２１の折り込んだときにケシタになる個所にはページ数を示す１から１６の数字２２が印刷されている。なお、かっこ内の数字は、裏面側のページ数を示す数字である。
【００１３】
前記各ページ２ａにおける説明内容が印刷された版面２１の周縁部には、用紙２０を折り込んで各ページ２ａを重ね合わせたときに合致する位置にマーク４が印刷されている。同図の実施形態では、各ページ２ａの周縁部で後述する折り込み線ａ，ｃ，ｄの両側に所定間隔をおいてマーク４を対向状に印刷している。
【００１４】
前記用紙２０は、先ず用紙２０の中心の縦方向に延びる折り込み線ａを中心として、これの左右両側に配置される縦方向の折り込み線ｃ，ｄが互いに重なり合い、かつ、右側の折り返し部（１，８，９，１６ページ）が上方に位置するように左右２つに折り込み、次いで用紙２０の中心の横方向に延びる折り込み線ｂを中心に、下側の折り返し部（１，１６ページ）が上方に位置するように上下２つに折り込み、さらに前記互いに重なり合った折り込み線ｃ，ｄを中心に左右２つに折り込む。
【００１５】
図３は、用紙２０が折り込まれた状態を示す斜視図である。この折り込まれた用紙２０は、表側から順にページの数字２２が表出される。そして、折り込まれた用紙２０の周囲が裁断され、取扱説明書１中に１単位として綴じ込まれる。
【００１６】
また、取扱説明書１に綴じ込まれる次の単位の用紙には、図２の点線で示すように、前記単位の各ページ２ａに付されたマーク４からずれた側方近接位置にマーク４が印刷される。このように、後続する各単位には、前段側単位のマーク４からずれた側方近接位置にマーク４が順次印刷され、これら各単位を綴じ込んだときに、図１（Ａ）のように、取扱説明書１のケシタ１３にマーク４を階段状に表出させるようにする。
【００１７】
以上のように、取扱説明書１の天１２やケシタ１３に各折丁２の存在を示すマーク４を外部に表出するように順に形成することにより、取扱説明書１が正常の場合、マーク４が順に表出される。これに対し、ページ２ａの落丁がある場合は、図１（Ｃ）のように、そのページ２ａに付したマーク４が消失して、順に付したマーク４の一部が欠けることになり、また、乱丁のある場合は、図１（Ｂ）のように、マーク４が順に付したマーク４の位置から異なった位置に表出される。このため、ページを捲ったりすることなく、落丁や乱丁が外部から簡単に検出されて、不正常な取扱説明書１の発行が確実に防止される。
【００１８】
特に、前記マーク４を取扱説明書１の天１２やケシタ１３に付すことにより、これら天１２またはケシタ１３は、外部から見え易く、特に本を積み重ねた状態でも外部から見えるので、落丁や乱丁の検出作業がより簡単に行える。天１２やケシタ１３は無地の状態が普通であるので、これら天１２やケシタ１３にマーク４を付すことによって、簡単かつ確実に落丁や乱丁の検出が行える。
【００１９】
また、図１（Ａ）のように、各折丁を示すマーク４を取扱説明書１ののど１１側の端から順に形成すれば、落丁や乱丁のない正常の取扱説明書１には、マーク４が順に付されることになるので、ページの落丁や乱丁の検出が容易に行える。
【００２０】
なお、図２，図３のように、前記取扱説明書１を製作するにあたっては、複数のページ２ａが配列された用紙２０を用い、その各ページ２ａにおける版面２１の周縁部に、用紙２０を折り込んで各ページ２ａを重ね合わせたときに合致する位置にマーク４を付し、この用紙２０を各ページ２ａが重なり合うように折り込んで１つの単位とし、この単位に続く次の各単位の用紙２０には、前記単位の各ページ２ａに付されたマーク４からずれた位置にマーク４を順次付し、これら各単位を綴じ込んで天１２やケシタ１３などに折丁毎のマーク４を順に表出させる。
【００２１】
以上の実施形態では、取扱説明書について説明したが、これ以外に雑誌などにも適用することができる。また、図２，図３では、１６ページ１折れタイプの用紙を使用する場合について説明したが、本発明は、例えば８ページ１折れタイプやその他の用紙を用いる場合にも適用できる。
【００２２】
【発明の効果】
以上のように、本発明の本によれば、背表紙を取り付けた後においてもページを捲ったりすることなく、完成本についての落丁や乱丁を外部から視認によって簡単に検出できて、落丁や乱丁のある不正常な本の発行を確実に防止することができる。
【図面の簡単な説明】
【図１】本発明にかかる本の一例として示す取扱説明書の図であり、（Ａ）は正常な本を示す斜視図、（Ｂ）は乱丁のある本を示す図、（Ｃ）は落丁のある本を示す図である。
【図２】取扱説明書を製作するときに用いる用紙の正面図である。
【図３】用紙が折り込まれた状態を示す斜視図である。
【符号の説明】
１１  のど
１２  天
１３  ケシタ
２    折丁
４    マーク
２０  用紙
２１  版面
【図１】
2004216841.tif 000003
【図２】
2004216841.tif 000004
【図３】
2004216841.tif 000005